(57)【要約】【課題】凹凸模様の凸部だけにおいても異なる色彩又は色調等の色外観を呈することができ，より複雑な意匠外観を呈することができる建築板及びその製造方法を提供すること。【解決手段】建築板１は，多数の凸部２１，２２を形成してなる凹凸模様２０３を有する原板２の意匠表面２０１に，下側塗料層３，上側塗料層４を順次設けてなるものである。多数の凸部２１，２２は，各頂点部２１０に略平坦面２１１を形成してなる多数の平坦凸部２１と，各頂点部２２０に尖り端部２２１を形成してなる多数の尖り凸部２２とよりなる。いずれかの平坦凸部２１の略平坦面２１１には，下側塗料層３が露出した露出表面１０１が形成されている。多数の尖り凸部２２の尖り端部２２１には，下側塗料層３の表面を上側塗料層４が覆った被覆表面１０２が形成されている。【選択図】  図１
2004211498.tif 000002
【特許請求の範囲】
【請求項１】
複数の凸部を形成してなる凹凸模様を有する原板の意匠表面に，下側塗料層及び上側塗料層を順次設けてなる建築板において，
上記複数の凸部は，その頂点部に略平坦面を形成してなる平坦凸部と，その頂点部に尖り端部を形成してなる尖り凸部とを有しており，
上記略平坦面には，上記下側塗料層が露出した露出表面が形成されていると共に，上記尖り端部には，上記下側塗料層の表面を上記上側塗料層が覆った被覆表面が形成されていることを特徴とする建築板。
【請求項２】
請求項１において，上記露出表面は，上記下側塗料層の表面に上記上側塗料層を形成するための塗料を塗布した後，該塗料が乾燥する前に，該塗料を除去することにより形成したものであることを特徴とする建築板。
【請求項３】
請求項１において，上記露出表面は，上記下側塗料層の表面に上記上側塗料層を形成するための塗料を塗布した後，該塗料が乾燥する前に，上記略平坦面及び上記尖り端部のいずれに対しても，掻取り具を接触させ，上記略平坦面に塗布された塗料を掻き取ることにより形成したものであることを特徴とする建築板。
【請求項４】
請求項１〜３のいずれか一項において，上記平坦凸部の略平坦面と，上記尖り凸部の尖り端部とは，略同一高さに形成してあることを特徴とする建築板。
【請求項５】
請求項１〜４のいずれか一項において，上記平坦凸部及び上記尖り凸部は長尺状に形成されており，これらの各頂点部に，上記略平坦面及び上記尖り端部は長尺状に形成されていることを特徴とする建築板。
【請求項６】
請求項１〜５のいずれか一項において，上記意匠表面における凹凸模様は，木目調を形成していることを特徴とする建築板。
【請求項７】
請求項１〜６のいずれか一項において，上記建築板の意匠表面には，その最表面にクリアー塗料層が設けてあることを特徴とする建築板。
【請求項８】
凹凸模様を設けた意匠表面を有し，上記凹凸模様における複数の凸部は，その頂点部に略平坦面を形成してなる平坦凸部と，その頂点部に尖り端部を形成してなる尖り凸部とを有する原板を準備する準備工程と，
上記原板の意匠表面に第１塗料を塗布し乾燥して，該意匠表面に下側塗料層を形成する下側塗料層形成工程と，
上記下側塗料層の表面に第２塗料を塗布しこれが乾燥する前に，上記略平坦面及び上記尖り端部に掻取り具を当接させて，上記略平坦面には，上記下側塗料層が露出した露出表面を形成すると共に，上記尖り端部には，上記下側塗料層の表面を上記第２塗料による上側塗料層が覆った被覆表面を形成する上側塗料層形成工程とを行うことを特徴とする建築板の製造方法。
【発明の詳細な説明】
【０００１】
【技術分野】
本発明は，建築物の外壁として施工する建築板であって，特に凹凸模様を形成した意匠表面に塗装を行って形成した建築板及びその製造方法に関する。
【０００２】
【従来技術】
例えば，建築物の外壁として施工するために量産される建築板においては，単調な仕上り感を避けるために，建築板の意匠表面の凹凸模様，この意匠表面の塗装の仕方等の工夫がなされている。そして，例えば，特許文献１，２に示すように，上記意匠表面が，自然な外観や，立体的な外観を呈するように努力がなされている。
【０００３】
特許文献１においては，建築板の意匠表面に，平坦部分とこの平坦部分より陥没形成した模様凹部とを有しており，上記平坦凸部と上記模様凹部との色調を異ならせることにより，意匠表面が自然な外観を呈する建築板を形成している。
また，特許文献２においては，建築板の意匠表面に凹凸模様を形成し，この凹凸模様における凸部と凹部との色彩を異ならせることにより，意匠表面が立体的な外観を呈する建築板を形成している。
【０００４】
【特許文献１】
特開平１１−３１０４８５号公報
【特許文献２】
特開平１０−３１７６３１号公報
【０００５】
【解決しようとする課題】
しかしながら，上記特許文献１の建築板においては，上記意匠表面に表現する色調の違いは，上記平坦部分における模様凹部の陥没に対応して形成されたものである。すなわち，この色調の違いは，上記模様凹部の意匠表面突出高さが，上記平坦部分よりも低いことにより形成されたものである。
【０００６】
また，上記特許文献２の建築板においては，上記意匠表面に表現する色彩の違いは，上記凹凸模様における凸部の突出に対応して形成されたものである。すなわち，この色彩の違いは，上記凸部の意匠表面突出高さが，上記凹部よりも高いことにより形成されたものである。
そのため，上記従来の建築板における色調又は色彩の変化は，あくまでも建築板の意匠表面における各部の突出高さの高低の変化を受けて形成されてものである。そのため，建築板の意匠表面に，より複雑な意匠外観を形成するためには，一層の工夫が必要とされる。
【０００７】
本発明は，かかる従来の問題点に鑑みてなされたもので，凹凸模様の凸部だけにおいても異なる色彩又は色調等の色外観を呈することができ，より複雑な意匠外観を呈することができる建築板及びその製造方法を提供しようとするものである。
【０００８】
【課題の解決手段】
第１の発明は，複数の凸部を形成してなる凹凸模様を有する原板の意匠表面に，下側塗料層及び上側塗料層を順次設けてなる建築板において，
上記複数の凸部は，その頂点部に略平坦面を形成してなる平坦凸部と，その頂点部に尖り端部を形成してなる尖り凸部とを有しており，
上記略平坦面には，上記下側塗料層が露出した露出表面が形成されていると共に，上記尖り端部には，上記下側塗料層の表面を上記上側塗料層が覆った被覆表面が形成されていることを特徴とする建築板にある（請求項１）。
【０００９】
本発明の建築板においては，上記原板の意匠表面に形成された凹凸模様における複数の凸部は，上記平坦凸部又は上記尖り凸部として形成されている。そして，これらの凸部の意匠表面突出高さは，上記凹凸模様における凹部よりも高くなっている。
そして，上記原板の意匠表面に上記下側塗料層及び上側塗料層を順次設けて建築板としたときには，上記平坦凸部の略平坦面には，上記露出表面が形成されており，上記尖り凸部の尖り端部には，上記被覆表面が形成されている。
【００１０】
すなわち，本発明の建築板の意匠表面においては，上記複数の凸部において，上記下側塗料層による色外観を呈する露出表面と，上記上側塗料層による色外観を呈する被覆表面とが混在する。そのため，上記建築板の意匠表面は，従来のように各部（凹凸）の突出高さの高低の違いにより異なる色彩又は色調等の色外観を呈するのではなく，上記凸部だけにおいても異なる色彩又は色調等の色外観を呈することができる。
それ故，上記建築板は，従来の建築板に比べて，より複雑な意匠外観を呈することができる。
【００１１】
第２の発明は，凹凸模様を設けた意匠表面を有し，上記凹凸模様における複数の凸部は，その頂点部に略平坦面を形成してなる平坦凸部と，その頂点部に尖り端部を形成してなる尖り凸部とを有する原板を準備する準備工程と，
上記原板の意匠表面に第１塗料を塗布し乾燥して，該意匠表面に下側塗料層を形成する下側塗料層形成工程と，
上記下側塗料層の表面に第２塗料を塗布しこれが乾燥する前に，上記略平坦面及び上記尖り端部に掻取り具を当接させて，上記略平坦面には，上記下側塗料層が露出した露出表面を形成すると共に，上記尖り端部には，上記下側塗料層の表面を上記第２塗料による上側塗料層が覆った被覆表面を形成する上側塗料層形成工程とを行うことを特徴とする建築板の製造方法にある（請求項８）。
【００１２】
本発明の製造方法においては，上記準備工程，上記下側塗料層形成工程，及び上側塗料層形成工程を行って，下記優れた作用効果を有する建築板を製造する。
すなわち，上記準備工程において，意匠表面に上記平坦凸部及び尖り凸部を形成してなる原板を準備し，上記下側塗料層形成工程において，上記原板の意匠表面に上記下側塗料層を形成する。
【００１３】
そして，上記上側塗料層形成工程においては，上記下側塗料層の表面に第２塗料を塗布しこれが乾燥する前に上記掻取り具を当接させ，上記略平坦面に上記露出表面を形成し，上記尖り端部に上記被覆表面を形成する。このように上記各工程を行うことにより，上記凸部において異なる色彩又は色調等の色外観を呈することができる建築板を容易に製造することができる。
【００１４】
【発明の実施の形態】
上述した本発明における好ましい実施の形態につき説明する。
上記第１，第２の発明において，上記平坦凸部とは，その頂点部の断面形状が２つの鈍角を有して形成されるものをいう。そして，上記略平坦面は，この２つの鈍角の間に形成された部分のことをいう。また，この略平坦面とは，ほぼ平坦な平坦面のことだけをいうのではなく，円弧状の面，波状の面等も含めた面のことをいう（図５（ａ）〜（ｃ）参照）。
また，平坦凸部は，その断面形状が２つの側壁面と，１ｍｍ以上の幅を有する略平坦面とにより形成されていることが好ましい。なお，略平坦面の幅の上限値は製造する建築板の凹凸模様によって異なるが，一般的には１５ｍｍ以下となる。
【００１５】
また，上記尖り凸部とは，その頂点部の断面形状が１つの鋭角を有して形成されるものをいう。そして，上記尖り端部は，この１つの鋭角によって形成された端部のことをいう。また，この尖り端部とは，ほぼ完全な尖り端部のことだけをいうのではなく，円弧状の端部，波状の端部等も含めた端部のことをいう（図６（ａ）〜（ｃ）参照）。
【００１６】
また，上記建築板としては，例えば，量産を行う無機質建築板がある。また，無機質建築板としては，例えば，窯業系建築板がある。
また，上記平坦凸部及び上記尖り凸部は，上記原板の意匠表面において，多数形成されていることが好ましい。これにより，上記建築板の意匠表面に，複雑な意匠外観を容易に形成することができる。
【００１７】
また，上記露出平面は，上記略平坦面の全体に形成されていてもよく，上記略平坦面の一部に形成されていてもよい。
また，上記露出表面は，多数の平坦凸部のうちの一部の平坦凸部の略平坦面に形成されていてもよい。この場合でも，上記露出平面は，上記一部の平坦凸部の略平坦面の全体に形成されていてもよく，上記略平坦面の一部に形成されていてもよい。
【００１８】
また，上記下側塗料層としては，例えば，上記原板の表面に塗布するシーラー層，又はこのシーラー層の表面に塗布する下塗り層とすることができる。
また，上記上側塗料層としては，例えば，上記シーラー層の表面に塗布する塗料層，又は上記下塗り層の表面に塗布する中塗り層がある。
【００１９】
また，上記露出表面は，上記下側塗料層の表面に上記上側塗料層を形成するための塗料を塗布した後，該塗料が乾燥する前に，該塗料を除去することにより形成したものであることが好ましい（請求項２）。
この場合には，上記下側塗料層を設けた上記複数の凸部の全体に，上記上側塗料層となる塗料を一括して塗布した後，上記平坦凸部の略平坦面に塗布した塗料を除去して上記露出表面を形成することができる。そのため，上記異なる色彩又は色調等の色外観を上記複数の凸部に有する建築板を容易に形成することができる。
【００２０】
また，上記露出表面は，上記下側塗料層の表面に上記上側塗料層を形成するための塗料を塗布した後，該塗料が乾燥する前に，上記略平坦面及び上記尖り端部のいずれに対しても，掻取り具を接触させ，上記略平坦面に塗布された塗料を掻き取ることにより形成したものであることが好ましい（請求項３）。
【００２１】
この場合には，上記下側塗料層を設けた上記複数の凸部の全体に，上記上側塗料層となる塗料を一括して塗布した後，上記複数の凸部における各頂点部の全体，すなわち上記平坦凸部の略平坦面及び尖り凸部の尖り端部のいずれに対しても上記掻取り具を接触させる。そして，上記略平坦面に塗布された塗料を上記掻取り具に付着させて掻き取ることにより，上記露出表面を形成することができる。
【００２２】
一方で，上記尖り端部に塗布された塗料は，上記掻取り具に接触しながらも，この掻取り具に掻き取られることなく（付着することなく），上記被覆表面を形成することができる。
これにより，上記異なる色彩又は色調等の色外観を上記複数の凸部に有する建築板を一層容易に形成することができる。
【００２３】
このように，上記略平坦面及び尖り端部のいずれに対しても，上記掻取り具を接触させても，上記露出表面及び被覆表面をそれそれ形成することができる理由としては，例えば，以下のように考えられる。
すなわち，上記露出表面を形成できる理由としては，上記略平坦面においては，上記掻取り具との接触面積が上記尖り端部に比べて大きいため，略平坦面に塗布された塗料が尖り端部に塗布された塗料に比べて多く掻取り具に付着して掻き取られるためであると考えられる。
【００２４】
また，上記尖り端部に被覆表面を形成できる理由としては，上記尖り端部においては，塗料の粘性又は糸引性（糸を引く性質）により，掻取り具が尖り端部より離れる際に，尖り端部に塗布された塗料が，掻取り具に掻き取られることなく（付着することなく），尖り端部へと引っ張られて，この尖り端部に残存するためであると考えられる。なお，上記粘性又は糸引性による塗料の残存は，上記略平坦面においても生じることがある。
【００２５】
また，上記平坦凸部の略平坦面と，上記尖り凸部の尖り端部とは，略同一高さに形成してあることが好ましい（請求項４）。
この場合には，上記平坦凸部と尖り凸部との意匠表面突出高さに意図的に差をつける必要がなく，上記建築板の意匠表面における凹凸模様の形成が容易である。そして，この場合には，例えば，上記掻取り具を用いて上記露出表面及び被覆表面を形成する際には，上記略平坦面及び尖り端部のいずれもに対しても，この掻取り具を当接させて，容易にこれらを形成することができる。そのため，上記異なる色彩又は色調等の色外観を上記複数の凸部に有する建築板を一層容易に形成することができる。
【００２６】
なお，上記平坦凸部の略平坦面及び上記尖り凸部の尖り端部の高さとは，各凸部同士の間に形成された凹部からの高さのことをいう。
また，この場合においては，上記建築板の裏面から上記平坦凸部の略平坦面までの厚みと，上記建築板の裏面から上記尖り凸部の尖り端部までの厚みとが略同一であることが好ましい。
【００２７】
また，上記平坦凸部及び上記尖り凸部は長尺状に形成されており，これらの各頂点部に，上記略平坦面及び上記尖り端部は長尺状に形成されていることが好ましい（請求項５）。
この場合には，上記露出表面及び被覆表面を，上記長尺状の略平坦面及び尖り端部に形成することができる。そのため，上記異なる色彩又は色調等の色外観を，上記複数の長尺状の凸部に有する建築板を形成することができる。
【００２８】
また，上記意匠表面における凹凸模様は，木目調を形成していることが好ましい（請求項６）。
この場合には，上記略平坦面における露出表面と，上記尖り端部における被覆表面とを，上記木目調を形成した凹凸模様における多数の凸部に形成することができる。そのため，木材板のような自然で複雑な外観を呈する建築板を形成することができる。
【００２９】
また，上記建築板の意匠表面には，その最表面にクリアー塗料層が設けてあることが好ましい（請求項７）。
この場合には，上記露出表面及び上記被覆表面を形成した建築板の意匠表面を，上記クリアー塗料層により保護することができ，建築板の耐候性等を向上させることができる。
【００３０】
【実施例】
以下に，図面を用いて本発明の建築板及びその製造方法にかかる実施例につき説明する。
（実施例１）
本例の建築板１は，図１に示すごとく，多数の凸部２１，２２を形成してなる凹凸模様２０３を有する原板２の意匠表面２０１に，下側塗料層３としてのシーラー層，上側塗料層４としての塗料層を順次設けてなるものである。
上記多数の凸部２１，２２は，各頂点部２１０に略平坦面２１１を形成してなる多数の平坦凸部２１と，各頂点部２２０に尖り端部２２１を形成してなる多数の尖り凸部２２とよりなる。そして，いずれかの平坦凸部２１の略平坦面２１１には，上記下側塗料層３が露出した露出表面１０１が形成されている。また，上記多数の尖り凸部２２の尖り端部２２１には，上記下側塗料層３の表面を上記上側塗料層４が覆った被覆表面１０２が形成されている。
【００３１】
以下に，これを詳説する。
図５に示すごとく，上記平坦凸部２１は，その頂点部２１０の断面形状が２つの鈍角θ１を有して形成されるものである。そして，この２つの鈍角θ１の間に形成された面が上記略平坦面２１１である。また，この略平坦面２１１には，平坦な平坦面（図５（ａ）参照），円弧状の面（図５（ｂ）参照），波状の面（図５（ｃ）参照）等がある。
【００３２】
また，図６に示すごとく，上記尖り凸部２２は，その頂点部２２０の断面形状が１つの鋭角θ２を有して形成されるものである。そして，この１つの鋭角θ２によって形成された端部が上記尖り端部２２１である。この尖り端部２２１には，ほぼ完全な尖り端部２２１（図６（ａ）参照），円弧状の端部（図６（ｂ）参照），波状の端部（図６（ｃ）参照）等がある。
【００３３】
本例における建築板１は，量産可能な窯業系建築板１である。
そして，図１に示すごとく，本例の建築板１においては，上記露出表面１０１は，上記多数の平坦凸部２１のうちの一部の平坦凸部２１の略平坦面２１１に形成されており，上記被覆表面１０２は，上記多数の尖り凸部２２の尖り端部２２１のほぼすべてに形成されている。
また，上記被覆表面１０２は，上記意匠表面２０１において，上記露出表面１０１を形成した略平坦面２１１以外のすべての部分に形成されている。すなわち，上記被覆表面１０２は，上記被覆表面１０２を形成した略平坦面２１１以外の平坦凸部２１の部分，上記一部の平坦凸部２１以外の残りの平坦凸部２１，上記尖り凸部２２及び各凸部２１，２２同士の間に形成された多数の凹部２３に形成されている。
【００３４】
以下に，上記各凸部２１，２２において露出表面１０１及び被覆表面１０２を有する建築板１を製造する方法につき説明する。
本例の建築板１の製造方法においては，以下の準備工程，下側塗料層形成工程，上側塗料層形成工程及びクリアー層形成工程を行って，上記建築板１を製造する。
すなわち，図３に示すごとく，上記準備工程においては，凹凸模様２０３を設けた意匠表面２０１を有し，上記凹凸模様２０３における複数の凸部２１，２２は，その頂点部２１０に略平坦面２１１を形成してなる平坦凸部２１と，その頂点部２２０に尖り端部２２１を形成してなる尖り凸部２２とを有する原板２を準備する。
【００３５】
本例の原板２は，セメント質原料（セメント，ケイ酸原料等）に，木質原料（木繊維，木チップ等），添加剤及び水等を混合して混合原料とし，これを成形型の成形板上に散布して成形（フォーミング）したセメント系原板２である。
そして，このセメント系原板２の意匠表面２０１には，多数の上記平坦凸部２１及び尖り凸部２２が形成されている。また，このセメント系原板２の意匠表面２０１は，上記平坦凸部２１及び尖り凸部２２の全体の意匠表面突出高さＨが，ほぼ同一の高さになるよう形成した。
なお，意匠表面突出高さＨとは，図３に示すごとく，上記セメント系原板２の裏面２０２から各凸部２１，２２の各頂点部２１０，２２０までの高さ（厚み）Ｈのことをいう。
【００３６】
図４に示すごとく，上記セメント系原板２においては，上記平坦凸部２１及び尖り凸部２２の多くは，長尺状に形成されており，残りの平坦凸部２１及び尖り凸部２２は，上記意匠表面２０１の面方向に広がる山状又は波状等の不規則な形状を有して形成されている。そして，上記長尺状の平坦凸部２１及び尖り凸部２２の各頂点部２１０，２２０には，上記略平坦面２１１及び上記尖り端部２２１が長尺状に形成されている。また，上記不規則な形状の平坦凸部２１及び尖り凸部２２の各頂点部２１０，２２０には，上記略平坦面２１１及び上記尖り端部２２１が上記不規則な形状に形成されている。
【００３７】
また，図５，図６に示すごとく，上記長尺状の平坦凸部２１及び尖り凸部２２は，これらの長尺方向に直交する横断面方向における根元（凹部２３と交わる位置）の幅Ｗ１が，一定ではなく，実際の木材のようにばらつきを有して変化している。
また，図５に示すごとく，本例では，上記長尺状の平坦凸部２１の略平坦面２１１は，その断面形状における幅Ｗ２が１〜１５ｍｍに形成されている。
【００３８】
そして，図４に示すごとく，本例のセメント系原板２の意匠表面２０１における凹凸模様２０３は，上記長尺状の平坦凸部２１及び尖り凸部２２と上記不規則な形状を有する平坦凸部２１及び尖り凸部２２とにより木目調を形成している。
そして，主に，上記長尺状の平坦凸部２１及び尖り凸部２２は，木目調における柾目の部分２０５を形成しており，上記不規則な形状を有する平坦凸部２１及び尖り凸部２２は，木目調における板目の部分２０６を形成している。
【００３９】
次いで，図７に示すごとく，上記下側塗料層形成工程においては，上記セメント系原板２の意匠表面２０１に第１塗料３０を塗布し，この第１塗料３０を乾燥させる。そして，セメント系原板２の意匠表面２０１の全体，すなわち，上記平坦凸部２１及び尖り凸部２２の全体と，上記凹部２３の全体に，上記下側塗料層３を形成する。
【００４０】
次いで，図８に示すごとく，上記上側塗料層形成工程においては，上記下側塗料層３の表面に第２塗料４０を塗布しこの第２塗料４０が乾燥する前に，上記略平坦面２１１及び上記尖り端部２２１に掻取り具としての掻取りロール５１を当接させる。このとき，図９に示すごとく，上記略平坦面２１１に塗布された第２塗料４０は上記掻取りロール５１に付着して掻き取られる。
【００４１】
そして，図１に示すごとく，この掻取りが行われた略平坦面２１１に，上記下側塗料層３が露出した露出表面１０１が形成されると共に，上記尖り端部２２１に，上記下側塗料層３の表面を上記第２塗料４０による上側塗料層４が覆った被覆表面１０２が形成される。
その後，上記露出表面１０１及び被覆表面１０２を形成したセメント系原板２を乾燥させる。
【００４２】
次いで，図示は省略するが，上記クリアー層形成工程においては，上記乾燥させた露出表面１０１及び被覆表面１０２に，クリアー塗料層を形成するためのクリアー塗料を塗布して乾燥させる。そして，上記セメント系原板２の意匠表面２０１の最表面に，耐候性等を向上させるためのクリアー塗料層を形成する。
こうして，上記各凸部２１，２２において露出表面１０１及び被覆表面１０２を有する建築板１を製造することができる。
【００４３】
以下に，上記上側塗料層形成工程につき詳説する。
図１０に示すごとく，本例の上側塗料層形成工程においては，上記セメント系原板２の意匠表面２０１に当接して，上記第２塗料４０が乾燥する前にこの第２塗料４０の一部を掻き取る掻取りロール５１と，この掻取りロール５１に対向配設すると共に，上記セメント系原板２の裏面２０２に当接するバックアップロール５２とを有する建築板の製造装置５を用いる。
【００４４】
本工程においては，上記セメント系原板２の下側塗料層３の表面の全体，すなわち上記凸部２１，２２の全体と上記凹部２３の全体とに形成された下側塗料層３の表面に，上記上側塗料層４を形成するための第２塗料４０を一括して塗布する。
そして，図８に示すごとく，この第２塗料４０が乾燥する前に，上記セメント系原板２を，上記掻取りロール５１とバックアップロール５２との間の隙間に搬入させる。そして，掻取りロール５１のロール表面５１０には，上記第２塗料４０を塗布したセメント系原板２の意匠表面２０１が当接し，バックアップロール５２のロール表面５２０には，セメント系原板２の裏面２０２が当接する。
【００４５】
このとき，同図に示すごとく，上記多数の平坦凸部２１と多数の尖り凸部２２との意匠表面突出高さＨは，略同一になるよう形成されているため，上記掻取りロール５１のロール表面５１０は，上記凸部２１，２２の全体における各頂点部２１０，２２０，すなわち上記多数の平坦凸部２１の略平坦面２１１及び上記多数の尖り凸部２２の尖り端部２２１のいずれに対しても接触する。
【００４６】
そして，図９に示すごとく，上記多数の平坦凸部２１のうちの一部の平坦凸部２１の略平坦面２１１に塗布された第２塗料４０は，上記掻取りロール５１に付着し，この掻取りロール５１によって掻き取られる。そのため，図１に示すごとく，この一部の平坦凸部２１の略平坦面２１１には，上記下側塗料層３が露出した露出表面１０１が形成される。
このように，上記露出表面１０１が形成される理由としては，上記平坦凸部２１の略平坦面２１１は，上記掻取りロール５１に対して平面状に，比較的広い接触面積で接触するため，この略平坦面２１１に塗布された第２塗料４０が掻き取られ易いということが考えられる。
【００４７】
一方で，図９に示すごとく，上記多数の尖り凸部２２の尖り端部２２１に塗布された第２塗料４０，及び上記多数の平坦凸部２１のうちの残りの平坦凸部２１の略平坦面２１１に塗布された第２塗料４０は，上記掻取りロール５１に接触しながらも，この掻取りロール５１によって掻き取られない。このとき，これらの第２塗料４０は，上記各尖り端部２２１及び上記残りの平坦凸部２１の略平坦面２１１において，上記下側塗料層３の表面に残存し，上記上側塗料層４を形成する。
【００４８】
そして，図１に示すごとく，上記尖り端部２２１及び上記残りの平坦凸部２１の略平坦面２１１には，上記被覆表面１０２が形成される。
また，本例では，この被覆表面１０２は，上記セメント系原板２の意匠表面２０１における多数の凹部２３のほとんどにも形成される。
【００４９】
このように，上記尖り端部２２１及び上記残りの平坦凸部２１の略平坦面２１１において被覆表面１０２が形成される理由としては，これらの各部位に塗布された第２塗料４０は，図９に示すごとく，掻取りロール５１がこれらの各部位２２１，２１１より離れる際に，上記第２塗料４０が，その粘性又は糸引性により，上記各部位２２１，２１１へと引っ張られて，各部位２２１，２１１に残存するためであると考えられる。
【００５０】
以下に，上記製造方法により製造した建築板１の作用効果につき説明する。
図１に示したように，本例の建築板１においては，意匠表面２０１に形成された凹凸模様２０３における多数の凸部２１，２２は，上記多数の平坦凸部２１又は上記多数の尖り凸部２２として形成されている。そして，これらの凸部２１，２２の意匠表面突出高さＨ（図３参照）は，上記凹凸模様２０３における各凹部２３よりも高くなっている。
そして，上記一部の平坦凸部２１の略平坦面２１１には，上記露出表面１０１が形成されており，それ以外の建築板１の意匠表面２０１における部分，すなわち上記残りの平坦凸部２１，上記尖り凸部２２及び上記凹部２３等には，上記被覆表面１０２が形成されている。
【００５１】
そして，本例の建築板１の意匠表面２０１においては，上記多数の凸部２１，２２において，上記下側塗料層３による色外観を呈する露出表面１０１と，上記上側塗料層４による色外観を呈する被覆表面１０２とが混在する。そのため，上記建築板１の意匠表面２０１は，従来のように各部（凹凸）の意匠表面突出高さＨの高低の違いにより異なる色彩又は色調等の色外観を呈するのではなく，上記凸部２１，２２だけにおいても異なる色彩又は色調等の色外観を呈することができる。
【００５２】
また，図２に示したように，本例においては，上記建築板１の意匠表面２０１に，上記平坦凸部２１及び尖り凸部２２によって木目調の凹凸模様２０３を形成した。そして，上記平坦凸部２１の略平坦面２１１において形成した露出表面１０１により，特に木目調の板目の部分２０６の外観を表現することができる。そのため，この木目調の形成により，上記建築板１は，あたかも実際の木材より製作した木材板であるかのような自然で複雑な意匠外観を呈することができる。
これにより，例えば，上記建築板１を建築物の外壁として施工した際には，木造建築のような外観を呈することができると共に，実際の木材板のように水分等を吸収することがなく，耐候性に優れた外壁を形成することができる。
【００５３】
なお，図２，図４に示すごとく，上記建築板１の意匠表面２０１には，凹凸模様形成部２５と，この凹凸模様形成部２５よりも陥没した目地部２６とが形成されている。そして，目地部２６は，建築板１の長手方向Ｌに沿って形成された縦目地部２６１と，これに直交する横目地部２６２とからなる。
【００５４】
また，本例においては，上記下側塗料層３を形成するための第１塗料３０には，薄い色あるいは明るい色の塗料を使用し，上記上側塗料層４を形成するための第２塗料４０には，第１塗料３０よりも濃い色あるいは暗い色の塗料を使用した。そのため，下側塗料層３が露出した露出表面１０１においては，明るい色外観を表現することができ，下側塗料層３の表面を上側塗料層４が覆った被覆表面１０２においては，暗い色外観を表現することができる。
【００５５】
そして，上記露出表面１０１は，特に木目調の板目の部分２０６の凸部２１，２２及び凹部２３に多く形成し，上記被覆表面１０２は，特に木目調の柾目の部分２０５の凸部２１，２２及び凹部２３に多く形成した。そのため，上記木目調の意匠外観を有する建築板１においては，板目の部分２０６が明るい色外観を呈していると共に柾目の部分２０５が暗い色外観を呈している。
【００５６】
また，上記第１塗料３０及び第２塗料４０には，略同一の色素の濃淡又は明暗を変化させた塗料を用いることができる。そして，上記セメント系原板２の意匠表面２０１に，これらの塗料３０，４０の塗装を行う際には，略同一の色素を有する第１塗料３０及び第２塗料４０を１組とし，この塗料３０，４０の組を，種々の色素についても準備して使い分けることができる。
【００５７】
また，上記第１塗料３０及び第２塗料４０には，いずれも水系の塗料を用いた。そして，特に上記第２塗料４０に水系の塗料を用いたことにより，この第２塗料４０が乾燥し難い状態を形成した。これにより，上記セメント系原板２の下側塗料層３の表面に第２塗料４０を塗布した後，これが乾燥する前に，上記掻取りロール５１によって上記平坦凸部２１の略平坦面２１１より第２塗料４０を掻き取ることが容易である。
【００５８】
（実施例２）
本例においては，図１１に示すごとく，上記複数の凸部２１，２２同士の間の凹部２３においても，上記下側塗料層３が露出する露出表面１０１を形成した。本例では，凹部２３の底面２３１の一部に，上記露出表面１０１を形成した。
また，上記凹部２３においては，この凹部２３の底面２３１よりもさらに陥没した微細凹部２４を形成し，この微細凹部２４には上記被覆表面１０２を形成した。これにより，上記底面２３１の一部においても，上記微細凹部２４による被覆表面１０２が形成されている。
【００５９】
そして，図１２に示すごとく，本例においては，上記セメント系原板２の意匠表面２０１に上記下側塗料層３を形成し，この下側塗料層３の表面に上記上側塗料層４を形成するための第２塗料４０を塗布した後において，上記掻取りロール５１のロール表面５１０に，上記第２塗料４０が塗布された上記平坦凸部２１の略平坦面２１１及び上記尖り凸部２２の尖り端部２２１が接触する際には，上記第２塗料４０が塗布された上記凹部２３の底面２３１の一部も同時に接触する。
【００６０】
そして，図１３に示すごとく，上記平坦凸部２１の略平坦面２１１に塗布された第２塗料４０が上記掻取りロール５１に付着して掻き取られると共に，上記凹部２３の底面２３１の一部に塗布された第２塗料４０も掻取りロール５１に付着して掻き取られる。そのため，図１１に示すごとく，平坦凸部２１の略平坦面２１１に上記下側塗料層３が露出した露出表面１０１が形成されると共に，上記凹部２３の底面２３１の一部にも上記露出表面１０１が形成される。
このように，上記凹部２３の底面２３１の一部にも露出表面１０１が形成される理由としては，上記平坦凸部２１の略平坦面２１１に露出表面１０１が形成される場合とほぼ同様に，掻取りロール５１との接触面積が比較的広いためであると考えられる。
【００６１】
また，一方で，図１３に示すごとく，上記凹部２３の底面２３１における微細凹部２４に塗布された第２塗料４０は掻き取られずにこの微細凹部２４に残存する。そして，図１１に示すごとく，この微細凹部２４を含め，上記露出表面１０１を形成した部分以外の部分には，上記下側塗料層３の表面を上記上側塗料層４が覆った被覆表面１０２が形成される。
【００６２】
こうして製造された本例の建築板１は，上記実施例２の建築板１と同様に，上記凸部２１，２２において異なる色彩又は色調等の色外観を呈することができるだけでなく，上記凹部２３においても，異なる色彩又は色調等の色外観を呈することができる。さらに，本例では，上記露出表面１０１を形成した凹部２３の底面２３１においても，上記微細凹部２４により微細な色外観の変化を表現することもできる。そのため，本例の建築板１は，一層自然で複雑な意匠外観を呈することができる。
本例においても，その他は上記実施例１と同様であり，上記実施例１と同様の作用効果を得ることができる。
【００６３】
なお，図１４に示すごとく，上記凹部２３に上記微細凹部２４が形成されていない場合でも，凸部２１，２２及び凹部２３において異なる色外観を呈する自然で複雑な意匠外観の建築板１を製造することもできる。
【００６４】
【発明の効果】
上述のごとく，本発明によれば，凹凸模様の凸部だけにおいても異なる色彩又は色調等の色外観を呈することができ，より複雑な意匠外観を呈することができる建築板及びその製造方法を提供することができる。
【図面の簡単な説明】
【図１】実施例１における，建築板を示す断面説明図。
【図２】実施例１における，建築板を示す平面図。
【図３】実施例１における，セメント系原板を示す断面説明図。
【図４】実施例１における，セメント系原板を示す平面図。
【図５】実施例１における，セメント系原板の意匠表面における平坦凸部の略平坦面を示す図で，（ａ）平坦面，（ｂ）円弧状の面，（ｃ）波状の面を示す断面拡大説明図。
【図６】実施例１における，セメント系原板の意匠表面における尖り凸部を示す図で，（ａ）ほぼ完全な尖り端部，（ｂ）円弧状の端部，（ｃ）波状の端部を示す断面拡大説明図。
【図７】実施例１における，上側塗料層を形成したセメント系原板を示す断面説明図。
【図８】実施例１における，平坦凸部の略平坦面と尖り端部の尖り端部とに掻取りロールのロール表面を当接させた状態を示す断面説明図。
【図９】実施例１における，平坦凸部の略平坦面の第２塗料を掻き取った状態を示す断面説明図。
【図１０】実施例１における，建築板の製造装置を示す説明図。
【図１１】実施例２における，建築板を示す断面説明図。
【図１２】実施例２における，平坦凸部の略平坦面及び尖り端部の尖り端部と凹部とに掻取りロールのロール表面を当接させた状態を示す断面説明図。
【図１３】実施例２における，平坦凸部の略平坦面の第２塗料及び凹部の底面の第２塗料を掻き取った状態を示す断面説明図。
【図１４】実施例２における，他の建築板を示す断面説明図。
【符号の説明】
１．．．建築板，
１０１．．．露出表面，
１０２．．．被覆表面，
２．．．セメント系原板（原板），
２０１．．．意匠表面，
２０２．．．裏面，
２０３．．．凹凸模様（木目調），
２０５．．．柾目の部分，
２０６．．．板目の部分，
２１．．．平坦凸部，
２１０．．．頂点部，
２１１．．．略平坦面，
２２．．．尖り凸部，
２２０．．．頂点部，
２２１．．．尖り端部，
２３．．．凹部，
３．．．下側塗料層，
３０．．．第１塗料，
４．．．上側塗料層，
４０．．．第２塗料，
５．．．建築板の製造装置，
５１．．．掻取りロール，
５２．．．バックアップロール，
【図１】
2004211498.tif 000003
【図２】
2004211498.tif 000004
【図３】
2004211498.tif 000005
【図４】
2004211498.tif 000006
【図５】
2004211498.tif 000007
【図６】
2004211498.tif 000008
【図７】
2004211498.tif 000009
【図８】
2004211498.tif 000010
【図９】
2004211498.tif 000011
【図１０】
2004211498.tif 000012
【図１１】
2004211498.tif 000013
【図１２】
2004211498.tif 000014
【図１３】
2004211498.tif 000015
【図１４】
2004211498.tif 000016